(57)【要約】【課題】腹側において、脚回りのフィット性を低下させることなく吸収性本体の出っ張りを抑制することが可能な吸収性物品を提供する。【解決手段】吸収性本体（１０）と、外装体（２０）と、を有する吸収性物品（１）であって、外装体（２０）は、着用者の脚回りに沿って湾曲した切り欠き部（２０ｃ）を有し、吸収性物品（１）を展開した状態において、互いに交差する長手方向と幅方向とを有し、切り欠き部（２０ｃ）は、背側切り欠き部（２０ｃｂ）と、腹側切り欠き部（２０ｃｆ）とを有し、外装体（２０）は、背側切り欠き部（２０ｃｂ）に沿って連続的に設けられた脚回り弾性部材（３３）を有しており、腹側切り欠き部（２０ｃｆ）の少なくとも一部に沿った脚回り弾性部材（３３）を有しておらず、腹側切り欠き部（２０ｃｆ）の少なくとも一部において、弾性領域（Ｒ１）と、弾性領域（Ｒ１）よりも背側の領域に位置する非弾性領域（Ｒ２）とを有している。【選択図】図２
2020058768.tif 000002
【特許請求の範囲】
【請求項１】
吸収性本体と、前記吸収性本体の厚さ方向に重ねて配置された外装体と、を有する吸収性物品であって、
前記外装体は、着用者の脚回りに沿って湾曲した一対の切り欠き部を有し、
前記吸収性物品を展開した状態において、互いに交差する長手方向と幅方向とを有し、
前記切り欠き部は、前記長手方向において、中央よりも背側に位置する背側切り欠き部と、前記中央よりも腹側に位置する腹側切り欠き部とを有し、
前記外装体は、
前記背側切り欠き部において、前記背側切り欠き部に沿って連続的に設けられた脚回り弾性部材を有しており、
前記腹側切り欠き部の少なくとも一部において、前記腹側切り欠き部に沿った脚回り弾性部材を有しておらず、
前記腹側切り欠き部の少なくとも一部において、前記幅方向に沿って腰回り弾性部材が設けられた弾性領域と、前記弾性領域よりも前記背側の領域に位置し前記腰回り弾性部材が設けられていない非弾性領域とを有している、
ことを特徴とする吸収性物品。
【請求項２】
吸収性本体と、前記吸収性本体の厚さ方向に重ねて配置された外装体と、を有する吸収性物品であって、
前記吸収性物品を展開した状態において、互いに交差する長手方向と幅方向とを有し、  背側胴回りから股下側へのびる湾曲した脚回り弾性部材を有し、
腹側胴回りから股下側へのびる湾曲した脚回り弾性部材を有しておらず、
前記外装体の腹側において、前記幅方向に沿って伸縮する弾性領域と、前記弾性領域よりも前記長手方向の背側において前記幅方向に沿って伸縮しない非弾性領域と、を有する、ことを特徴とする吸収性物品。
【請求項３】
請求項１または２に記載の吸収性物品であって、
前記長手方向における前記非弾性領域の長さは、前記長手方向における前記弾性領域の長さよりも長い、ことを特徴とする吸収性物品。
【請求項４】
請求項１〜３のいずれか１項に記載の吸収性物品であって、
自然状態において、前記弾性領域と前記非弾性領域との前記長手方向の境界位置にて、前記外装体の前記幅方における幅が最も狭くなっている、ことを特徴とする吸収性物品。
【請求項５】
請求項１〜４のいずれか１項に記載の吸収性物品であって、
前記弾性領域で、前記長手方向の単位長さ当たりに作用する前記幅方向に沿った収縮力は、
前記弾性領域の前記長手方向の前記腹側に隣接し、前記長手方向において前記弾性領域と同じ長さを有する領域で、前記長手方向の単位長さ当たりに作用する前記幅方向に沿った収縮力よりも小さい、ことを特徴とする吸収性物品。
【請求項６】
請求項１〜５のいずれか１項に記載の吸収性物品であって、
前記外装体の前記幅方向の両端部にて前記外装体の対向する面同士を接合する一対のサイドエッジ部を有しており、
前記外装体の腹側には、前記一対のサイドエッジ部の間の領域において、前記幅方向に沿って連続する腹側胴回り弾性部材が設けられている、ことを特徴とする吸収性物品。
【請求項７】
請求項６に記載の吸収性物品であって、
前記外装体の背側には、前記一対のサイドエッジ部の間の領域において、前記幅方向に沿って連続する背側胴回り弾性部材が設けられており、
前記外装体の前記腹側において、前記腹側胴回り弾性部材によって作用する前記長手方向の単位長さ当たりの収縮力は、
前記外装体の前記背側において、前記背側胴回り弾性部材によって作用する前記長手方向の単位長さ当たりの収縮力よりも大きい、ことを特徴とする吸収性物品。
【請求項８】
請求項６または７に記載の吸収性物品であって、
自然状態において、前記サイドエッジ部は、前記吸収性物品の上下方向に対して斜め前方に傾斜している、ことを特徴とする吸収性物品。
【請求項９】
請求項１〜８のいずれか１項に記載の吸収性物品であって、
前記外装体は、前記長手方向の中央よりも背側に位置する背側切り欠き部において、前記幅方向に沿った腰回り弾性部材を有していない、ことを特徴とする吸収性物品。
【請求項１０】
請求項１〜９のいずれか１項に記載の吸収性物品であって、
前記吸収性本体は、吸収性コアを有し、
前記脚回り弾性部材の少なくとも一部は、前記吸収性コアと重複しており、
前記吸収性コアと重複している部分における前記脚回り弾性部材の収縮力は、前記吸収性コアと重複していない部分における前記脚回り弾性部材の収縮力よりも小さい、ことを特徴とする吸収性物品。
【請求項１１】
請求項１〜１０のいずれか１項に記載の吸収性物品であって、
前記吸収性本体は、吸収性コアを有し、
前記吸収性コアには、前記吸収性コアの全体の重量の８０％以上の高吸収性ポリマーが含まれている、ことを特徴とする吸収性物品。
【請求項１２】
請求項１〜１０のいずれか１項に記載の吸収性物品であって、
着用対象者が乳幼児または幼児である、ことを特徴とする吸収性物品。
【発明の詳細な説明】
【技術分野】
【０００１】
本発明は、吸収性物品に関する。
【背景技術】
【０００２】
従来、パンツ型の使い捨ておむつ等の吸収性物品が使用されている。そして、パンツ型使い捨ておむつとして、排泄物を吸収する吸収性本体と、該吸収性本体に重ね合わされた外装体とを有する、所謂オールインワンタイプのパンツ型おむつが知られている。このようなパンツ型おむつでは、外装体の左右方向の両側が着用者の脚繰りに沿って切り欠かかれ（レッグホール）、切り欠きに沿うように脚回りゴムが設けられていることが一般的である。例えば、特許文献１には、前身頃Ａ及び後見頃Ｂの脚回りに沿って、それぞれ糸ゴム等の弾性伸縮部材１，２が設けられたパンツ型おむつが開示されている。
【先行技術文献】
【特許文献】
【０００３】
【特許文献１】特開平４−２８３６４号
【発明の概要】
【発明が解決しようとする課題】
【０００４】
従来のパンツ型おむつにおいて、特許文献１のように脚回りの全域に沿って糸ゴム等の脚回り弾性部材が設けられていた場合、おむつ着用時に、当該脚回り弾性部材の収縮によって吸収性本体の左右方向両側が収縮し、左右方向の中央部が非肌側に飛び出してしまうおそれがあった。特に腹側領域では、吸収性本体の股間部が膨らむように非肌側に出っ張ってしまうことにより、着用者の身体に吸収性本体がフィットしていなかったり、サイズが合っていなかったりするといった印象を使用者に与える場合があった。
【０００５】
このような場合、腹側領域において、脚回りの全域に沿って配置された脚回り弾性部材を除去することにより、腹側における吸収性本体の出っ張りを抑制することができる。しかしながら、腹側において脚回り弾性部材を除去すると、脚回りのフィット性が低下して着用者の脚回りとおむつとの間に隙間が生じやすくなり、尿漏れの原因となるおそれがある。
【０００６】
本発明は、上記のような従来の問題に鑑みてなされたものであって、その目的は、腹側において、脚回りのフィット性を低下させることなく吸収性本体の出っ張りを抑制することが可能な吸収性物品を提供することにある。
【課題を解決するための手段】
【０００７】
上記目的を達成するための主たる発明は、吸収性本体と、前記吸収性本体の厚さ方向に重ねて配置された外装体と、を有する吸収性物品であって、前記外装体は、着用者の脚回りに沿って湾曲した一対の切り欠き部を有し、前記吸収性物品を展開した状態において、互いに交差する長手方向と幅方向とを有し、前記切り欠き部は、前記長手方向において、中央よりも背側に位置する背側切り欠き部と、前記中央よりも腹側に位置する腹側切り欠き部とを有し、前記外装体は、前記背側切り欠き部において、前記背側切り欠き部に沿って連続的に設けられた脚回り弾性部材を有しており、前記腹側切り欠き部の少なくとも一部において、前記腹側切り欠き部に沿った脚回り弾性部材を有しておらず、前記腹側切り欠き部の少なくとも一部において、前記幅方向に沿って腰回り弾性部材が設けられた弾性領域と、前記弾性領域よりも前記背側の領域に位置し前記腰回り弾性部材が設けられていない非弾性領域とを有している、ことを特徴とする吸収性物品である。
本発明の他の特徴については、本明細書及び添付図面の記載により明らかにする。
【発明の効果】
【０００８】
本発明によれば、腹側において、脚回りのフィット性を低下させることなく吸収性本体の出っ張りを抑制することが可能な吸収性物品を提供することができる。
【図面の簡単な説明】
【０００９】
【図１】おむつ１を腹側から見た概略斜視図である。
【図２】展開且つ伸長状態であるおむつ１を肌側から見た平面図である。
【図３】図２中のＡ−Ａ断面を示す概略断面図である。
【図４】図４Ａは、パンツ型状態のおむつ１を左右方向に伸長させた状態について、腹（前）側から見た概略平面図である。図４Ｂは、パンツ型状態のおむつ１の伸長状態を解除した自然状態について、腹（前）側から見た概略平面図である。
【図５】自然状態のおむつ１を左右方向の一方側から見た概略側面図である。
【発明を実施するための形態】
【００１０】
本明細書及び添付図面の記載により、少なくとも以下の事項が明らかとなる。
吸収性本体と、前記吸収性本体の厚さ方向に重ねて配置された外装体と、を有する吸収性物品であって、前記外装体は、着用者の脚回りに沿って湾曲した一対の切り欠き部を有し、前記吸収性物品を展開した状態において、互いに交差する長手方向と幅方向とを有し、前記切り欠き部は、前記長手方向において、中央よりも背側に位置する背側切り欠き部と、前記中央よりも腹側に位置する腹側切り欠き部とを有し、前記外装体は、前記背側切り欠き部において、前記背側切り欠き部に沿って連続的に設けられた脚回り弾性部材を有しており、前記腹側切り欠き部の少なくとも一部において、前記腹側切り欠き部に沿った脚回り弾性部材を有しておらず、前記腹側切り欠き部の少なくとも一部において、前記幅方向に沿って腰回り弾性部材が設けられた弾性領域と、前記弾性領域よりも前記背側の領域に位置し前記腰回り弾性部材が設けられていない非弾性領域とを有している、ことを特徴とする吸収性物品。
【００１１】
このような吸収性物品によれば、腹側切り欠き部に沿った脚回り弾性部材が設けられていないため、該腹側切り欠き部に沿った収縮が生じ難い。したがって、腹側において吸収性本体の左右方向の両側部のみが収縮することによって中央部が非肌側に出っ張ってしまう、といった問題を抑制できる。一方、腹側切り欠き部の一部と重複する領域に腰回り弾性部材による弾性領域を設け、当該領域に伸縮性を付与することで、腹側脚回りにおけるフィット性の低下を抑制できる。したがって、腹側において、脚回りのフィット性を低下させることなく吸収性本体の出っ張りを抑制することが可能な吸収性物品を提供することができる。
【００１２】
また、吸収性本体と、前記吸収性本体の厚さ方向に重ねて配置された外装体と、を有する吸収性物品であって、前記吸収性物品を展開した状態において、互いに交差する長手方向と幅方向とを有し、背側胴回りから股下側へのびる湾曲した脚回り弾性部材を有し、腹側胴回りから股下側へのびる湾曲した脚回り弾性部材を有しておらず、前記外装体の腹側において、前記幅方向に沿って伸縮する弾性領域と、前記弾性領域よりも前記長手方向の背側において前記幅方向に沿って伸縮しない非弾性領域と、を有する、ことを特徴とする吸収性物品が明らかとなる。
【００１３】
このような吸収性物品によれば、脚回り弾性部材による収縮力が腹側脚回りに作用し難く、吸収性本体の左右方向の両側部が収縮し、中央部が非肌側に出っ張ってしまう、といった問題を抑制できる。また、外装体の腹側の一部に幅方向に伸縮する弾性領域が設けられることで、腹側脚回りにおけるフィット性の低下が抑制される。したがって、腹側において、脚回りのフィット性を低下させることなく吸収性本体の出っ張りを抑制することが可能な吸収性物品を提供することができる。
【００１４】
かかる吸収性物品であって、前記長手方向における前記非弾性領域の長さは、前記長手方向における前記弾性領域の長さよりも長い、ことが望ましい。
【００１５】
このような吸収性物品によれば、着用時において、腹側切り欠き部のうち非弾性領域と重複する部分（レッグギャザー）によって、着用者の脚回りが覆われる面積を広くすることができる。すなわち、股間部において脚回りが広く覆われることにより、使用者により大きな安心感を与え、尿漏れ等の心配を生じ難くさせることができる。
【００１６】
かかる吸収性物品であって、自然状態において、前記弾性領域と前記非弾性領域との前記長手方向の境界位置にて、前記外装体の前記幅方における幅が最も狭くなっている、ことが望ましい。
【００１７】
このような吸収性物品によれば、腹側切り欠き部の幅が狭くなった括れ部が形成されることにより、脚回り開口の変曲点が多くなり、吸収性物品を着用する際に、脚回り開口が着用者の身体にフィットしやすくなる。また、着用者の脚の動きに追従して外装体が変形しやすくなることから、着用性が向上する。
【００１８】
かかる吸収性物品であって、前記弾性領域で、前記長手方向の単位長さ当たりに作用する前記幅方向に沿った収縮力は、前記弾性領域の前記長手方向の前記腹側に隣接し、前記長手方向において前記弾性領域と同じ長さを有する領域で、前記長手方向の単位長さ当たりに作用する前記幅方向に沿った収縮力よりも小さい、ことが望ましい。
【００１９】
このような吸収性物品によれば、弾性領域の腹側に隣接する領域（胴回り弾性領域）における幅方向の収縮力を強くすることにより、着用者の胴回りで外装体の位置ずれが生じることを抑制しやすくなる。また、弾性領域における幅方向の収縮力を強くしすぎないことにより、脚回り開口が着用者の脚回りに沿って食い込むことを抑制し、脚回りにおける適度なフィット性を実現することができる。
【００２０】
かかる吸収性物品であって、前記外装体の前記幅方向の両端部にて前記外装体の対向する面同士を接合する一対のサイドエッジ部を有しており、前記外装体の腹側には、前記一対のサイドエッジ部の間の領域において、前記幅方向に沿って連続する腹側胴回り弾性部材が設けられている、ことが望ましい。
【００２１】
このような吸収性物品によれば、胴回り弾性部材によって十分な収縮力が作用することにより、吸収性物品を着用した際に、着用者の胴回りにおいて外装体の位置ずれが生じ難くなる。これにより、吸収性本体の位置ずれ等が生じ難くなり、排泄物の漏出やフィット性の悪化を抑制することができる。
【００２２】
かかる吸収性物品であって、前記外装体の背側には、前記一対のサイドエッジ部の間の領域において、前記幅方向に沿って連続する背側胴回り弾性部材が設けられており、前記外装体の前記腹側において、前記腹側胴回り弾性部材によって作用する前記長手方向の単位長さ当たりの収縮力は、前記外装体の前記背側において、前記背側胴回り弾性部材によって作用する前記長手方向の単位長さ当たりの収縮力よりも大きい、ことが望ましい。
【００２３】
このような吸収性物品によれば、背側における外装体の収縮量よりも、腹側における外装体の収縮量の方が大きくなり、自然状態において、吸収性物品の胴回り領域が前後方向の前側寄りに偏移しやすくなる。したがって、脚回り開口も前後方向の前方寄りに偏移しやすくなる。これにより、歩行時等に着用者が脚を前側に動かした場合であっても、脚の動きが脚回り開口と干渉し難くなり、吸収性物品の着用性が向上する。
【００２４】
かかる吸収性物品であって、自然状態において、前記サイドエッジ部は、前記吸収性物品の上下方向に対して斜め前方に傾斜している、ことが望ましい。
【００２５】
このような吸収性物品によれば、サイドエッジ部の上下方向の股下側に設けられている脚回り開口が前後方向の前側寄りに偏移しやすくなる。これにより、着用者が歩行等の際に脚を前側に動かした場合であっても、該脚の動きが脚回り開口と干渉し難くなり、吸収性物品の着用性が向上する。
【００２６】
かかる吸収性物品であって、前記外装体は、前記長手方向の中央よりも背側に位置する背側切り欠き部において、前記幅方向に沿った腰回り弾性部材を有していない、ことが望ましい。
【００２７】
このような吸収性物品によれば、背側において腰回り弾性部材（弾性領域）が設けられていないことにより、外装体や吸収性本体が幅方向に過度に収縮してしまうことが抑制され、着用者の臀部を広く覆うことが可能となる。したがって、背側におけるフィット性が向上する。
【００２８】
かかる吸収性物品であって、前記吸収性本体は、吸収性コアを有し、前記脚回り弾性部材の少なくとも一部は、前記吸収性コアと重複しており、前記吸収性コアと重複している部分における前記脚回り弾性部材の収縮力は、前記吸収性コアと重複していない部分における前記脚回り弾性部材の収縮力よりも小さい、ことが望ましい。
【００２９】
このような吸収性物品によれば、吸収性コアに対して作用する脚回り弾性部材による収縮力が大きくなりすぎず、幅方向において吸収性コアが過度に収縮することが抑制される。したがって、吸収性コアによって尿等の排泄物を吸収することが可能な範囲が広く保たれ、吸収性物品の吸収性能を良好なものとすることができる。
【００３０】
かかる吸収性物品であって、前記吸収性本体は、吸収性コアを有し、前記吸収性コアには、前記吸収性コアの全体の重量の８０％以上の高吸収性ポリマーが含まれている、ことが望ましい。
【００３１】
このような吸収性物品によれば、吸収性コアが、着用者の身体の凹凸や曲面に沿って３次元的に変形しやすくなる。これにより、弾性領域及び非弾性領域のいずれの領域でも、吸収性コアが着用者の身体にフィットしやすくなり、排泄物の漏れを抑制しやすくすることができる。
【００３２】
かかる吸収性物品であって、着用対象者が乳幼児または幼児である、ことが望ましい。
【００３３】
このような吸収性物品によれば、弾性領域及び非弾性領域の配置や大きさを調整することにより、脚回り開口の締め付けの強さと吸収性本体のフィット性とのバランスを子供用に最適化し、肌の弱い乳幼児等でも着用可能な子供用おむつを実現することができる。
【００３４】
＝＝＝実施形態＝＝＝
＜おむつ１の基本構成＞
本実施形態で扱う吸収性物品の一例として、パンツ型使い捨ておむつ１（以下、「おむつ１」とも呼ぶ）の基本的な構成について説明する。図１は、おむつ１を腹側から見た概略斜視図である。図２は、展開且つ伸長状態であるおむつ１を肌側から見た平面図である。図３は、図２中のＡ−Ａ断面を示す概略断面図である。なお、図２における「伸長状態」とは、製品（おむつ１）を皺なく伸長させた状態、具体的には、おむつ１を構成する各部材（例えば、後述する吸収性本体１０や外装体２０等）の寸法がその部材単体の寸法と一致又はそれに近い長さになるまで伸長した状態のことを言う。
【００３５】
このおむつ１は、図１のパンツ型状態において、互いに直交する三方向として上下方向と左右方向と前後方向とを有している。そして、以下では、このパンツ型状態における上下方向の一方側（図１では上側）及び他方側（図１では下側）のことを、それぞれ「胴回り開口側」及び「股下側」とも言い、また、前後方向の前側及び後側のことを、それぞれ「腹側」及び「背側」とも言う。
【００３６】
一方、図２の展開状態においては、おむつ１は、互いに直交する三方向として長手方向と幅方向と厚さ方向とを有している。以下では、この展開状態における長手方向の一方側及び他方側のことを、それぞれ「腹側」及び「背側」とも言う。なお、図２の展開状態における幅方向は、図１のパンツ型状態における左右方向と同じ方向である。そのため、以下では、幅方向のことを「左右方向」とも言う。また、展開状態の長手方向は、パンツ型状態の上下方向に沿った方向である。また、図３に示すように、上下方向（長手方向）及び左右方向（幅方向）と直交する方向を「厚さ方向」とし、着用対象者の肌と当接する側を「肌側」とし、その反対側を「非肌側」とする。
【００３７】
本実施形態のおむつ１は、吸収性本体１０と、外装体２０とを有する。そして、図２の展開状態から、長手方向（上下方向）の中央位置ＣＬを折り位置として吸収性本体１０及び外装体２０が二つ折りされるとともに、この二つ折りの状態で、外装体２０の左右方向の両端部において対向する面同士が一対のサイドエッジ部２０ｅｓ，２０ｅｓにて接合される。これにより、外装体２０がサイドエッジ部２０ｅｓにて環状に繋がって、図１に示すような胴回り開口ＢＨ及び一対の脚回り開口ＬＨ，ＬＨが形成されたパンツ型状態のおむつ１となる。
【００３８】
吸収性本体１０は、尿等の排泄物を吸収する機能を有し、図２に示されるように平面視略長方形をなし、その長手方向をおむつ１の上下方向に沿わせつつ左右方向の中央に配置されている。吸収性本体１０は、液吸収性の吸収性コア（吸収体）１１と、同吸収性コア１１の外周面を被覆するコアラップシート１２と、トップシート１３と、バックシート１４とを有する。また、吸収性本体１０の左右方向の両側には、防漏壁５０が設けられている。
【００３９】
吸収性コア１１は、パルプ繊維等の液体吸収性繊維を所定形状に成形したものであり、その内部には重量パーセントで８０％以上の高吸収性ポリマー（所謂ＳＡＰ）が混入されている。本実施形態において、吸収性コア１１は図２に示されるような略長方形状である。コアラップシート１２は、吸収性コア１１の外周面を被覆する液透過性のシート部材であり、ティッシュペーパーや不織布等を使用可能である。但し、コアラップシート１２は必ずしも設けられていなくても良い。
【００４０】
トップシート１３は、吸収性コア１１の厚さ方向の肌側面に配置され、おむつ１の着用時に着用者の肌と当接する液透過性のシート部材（内層シート）である。本実施形態のトップシート１３は、例えば、エアスルー不織布やスパンボンド不織布等によって形成される。
【００４１】
バックシート１４は、吸収性コア１１の厚さ方向の非肌側に配置され、おむつ１の外層を構成するシート部材（外層シート）である。本実施形態において、バックシート１４は、吸収性本体１０の非肌側に配置された液不透過性且つ透湿性のシート部材であり、例えば樹脂フィルムによって形成される。バックシート１４が設けられていることによって、吸収性本体１０によって吸収された尿等の水分が着用者の衣服側に移動（浸透）することが抑制される。
【００４２】
防漏壁部５０は、吸収性本体１０の幅方向両側において、長手方向（おむつ１の上下方向）に沿って配置されている。おむつ１の着用時には、この防漏壁部５０が吸収性本体１０の幅方向の両端部から起立して、排泄物がおむつ１の外側に漏出するのを抑制する。図２に示されるように、本実施形態の防漏壁部５０は、長手方向の両端部にそれぞれ設けられた第１防漏壁接合部５１，５２、及び、幅方向の外側端部において長手方向に沿って設けられた第２防漏壁節接合部５３によって、吸収性本体１０の肌側に接合固定されている。そして、防漏壁部５０の幅方向内側端部には、糸ゴム等の防漏壁弾性部材３５が長手方向に伸長された状態で固定されており、おむつ１の着用時には防漏壁弾性部材３５の収縮力に基づいて、防漏壁部５０の幅方向内側端部領域が第２防漏壁節接合部５３を起立基点として着用者の肌側に起立する。なお、第１防漏壁接合部５１，５２、及び第２防漏壁節接合部５３は、ホットメルト接着剤等の接着剤によって形成することができる。
【００４３】
外装体２０は、肌側シート２１と非肌側シート２２とを有する。肌側シート２１は、スパンボンド不織布やＳＭＳ不織布等により形成された柔軟なシート部材であり、吸収性本体１０の肌側に設けられている。肌側シート２１の幅方向及び長手方向の中央部には、図２に示されるような長円形状に切り欠かれた長円切り欠き部２１ｈが設けられている。該長円切り欠き部２１ｈによって、吸収性本体１０（及び防漏壁部５０）の一部が厚さ方向の肌側に露出し、おむつ１の着用時において吸収性本体１０によって排泄物を吸収することが可能となる。
【００４４】
非肌側シート２２は、スパンボンド不織布やＳＭＳ不織布等により形成された柔軟なシート部材であり、吸収性本体１０を非肌側から覆うように設けられている。そして、非肌側シート２２の長手方向の両端部は、肌側シート２１の長手方向の両端部よりも外側に突出しており、突出した部分が長手方向の内側且つ厚さ方向の肌側に折り返され、折り返し部２２ｆｆ及び２２ｂｆを形成している。おむつ１では、この折り返し部２２ｆｆ及び２２ｂｆが胴回り開口ＢＨに沿って設けられ、肌側シート２１の長手方向における外縁（エッジ）を覆っている。したがって、肌側シート２１の長手方向外側のエッジが着用者の肌と直接接触することが抑制され、胴回り開口ＢＨにおいて、良好な肌触りを実現できる。
【００４５】
外装体２０の長手方向における腹側の所定の領域（サイドエッジ部２０ｅｓが形成されている領域）には、糸ゴム等の複数の腹側胴回り弾性部材３１，３１…が幅方向に伸長された状態で長手方向に所定の間隔を空けて配置されている（図２，図３参照）。該腹側胴回り弾性部材３１が発現する収縮力により、外装体２０の腹側において、幅方向（左右方向に）沿った伸縮性が付与される。同様に、外装体２０の長手方向における背側の所定の領域には、糸ゴム等の複数の背側胴回り弾性部材３２，３２…が幅方向に伸長された状態で長手方向に所定の間隔を空けて配置されている。該背側胴回り弾性部材３２が発現する収縮力により、外装体２０の背側において、幅方向（左右方向に）沿った伸縮性が付与される。
【００４６】
また、図２に示されるように、外装体２０の長手方向における両端部の間には、外装体２０の一部が幅方向の両外側から内側に切り欠かれた一対の切り欠き部２０ｃが設けられている。この一対の切り欠き部２０ｃは、パンツ型状態のおむつ１において、脚回り開口ＬＨ，ＬＨを形成する部分であり、着用者の脚回りに沿って湾曲した形状を有し、おむつ１の着用時には脚繰りに沿ったレッグギャザーを形成する部分でもある。以下では、図２の展開状態の長手方向において、切り欠き部２０ｃのうち、中央位置ＣＬよりも腹側に位置する部分を腹側切り欠き部２０ｃｆとも呼び、中央位置ＣＬよりも背側に位置する部分を背側切り欠き部２０ｃｂとも呼ぶ。
【００４７】
そして、外装体２０には、糸ゴム等の脚回り弾性部材３３が、背側切り欠き部２０ｃｂに沿って伸長された状態で連続的に設けられている。これにより、外装体２０の背側領域において、脚回り開口ＬＨに沿った伸縮性が発現する。一方、外装体２０の腹側領域の少なくとも一部においては、脚回り弾性部材３３に相当する弾性部材が配置されていない。すなわち、腹側切り欠き部２０ｃｆの少なくとも一部において、腹側切り欠き部２０ｃｆに沿った脚回り弾性部材３３が設けられておらず、脚回り開口ＬＨに沿った伸縮性は発現していない。
【００４８】
図２では、脚回り弾性部材３３の一部が、長手方向における中央位置ＣＬよりも腹側に配置されている。すなわち、長手方向における中央位置ＣＬ付近において、脚回り弾性部材３３の一部が、腹側切り欠き部２０ｃｆに沿って設けられている。但し、脚回り弾性部材３３は、長手方向における中央位置ＣＬよりも背側にのみ配置されているのであっても良い。つまり、腹側切り欠き部２０ｃｆの全ての領域において、該腹側切り欠き部２０ｃｆに沿った脚回り弾性部材３３が設けられていないのであっても良い。
【００４９】
また、長手方向において、腹側切り欠き部２０ｃｆの少なくとも一部には、糸ゴム等の複数の腰回り弾性部材３４，３４…が幅方向に伸長された状態で長手方向に所定の間隔を空けて設けられている。図２では、腹側切り欠き部２０ｃｆの長手方向における腹側端部（すなわち、サイドエッジ部２０ｅｓの背側端から長手方向の背側に所定の長さＬｒ１を有する領域）と重複する領域に、複数の腰回り弾性部材３４，３４…が配置されている。以下、この腰回り弾性部材３４が設けられている領域を弾性領域Ｒ１とする。
【００５０】
また、長手方向において、弾性領域Ｒ１よりも背側の領域には、腰回り弾性部材３４に相当する弾性部材が設けられていない。以下、弾性領域Ｒ１よりも背側に位置し、腰回り弾性部材３４が設けられていない領域を、非弾性領域Ｒ２とする。
【００５１】
なお、外装体２０の背側領域で、長手方向において背側切り欠き部２０ｃｂと重複する領域には、腰回り弾性部材３４に相当する幅方向に沿った弾性部材が設けられていない。すなわち、おむつ１の背側には、弾性領域Ｒ１に相当する弾性領域が設けられていない。
【００５２】
＜弾性領域Ｒ１について＞
本実施形態のおむつ１では、脚回り開口ＬＨに沿った弾性部材（脚回り弾性部材３３）が、主に背側にのみ設けられ、腹側には設けられていない。すなわち、おむつ１の左右方向の両側において、腹側切り欠き部２０ｃｆに沿った大部分の領域では脚回り弾性部材３３による収縮力が作用していない。したがって、吸収性本体１０の左右方向の両側部が収縮することによって、その間の中央部が非肌側に出っ張ってしまう、といった問題を生じ難くすることができる。
【００５３】
しかしながら、腹側切り欠き部２０ｃｆに沿った収縮力が作用しない場合、腹側において、着用者の脚回りと腹側切り欠き部２０ｃｆ（レッグギャザー）との間に隙間が形成されやすくなり、当該隙間から尿漏れを生じたり、脚回りにおけるフィット性が悪化したりするおそれがある。
【００５４】
そこで、本実施形態では、長手方向において、腹側切り欠き部２０ｃｆの腹側端部と重複する領域に、横方向に沿った腰回り弾性部材３４を配置することにより、腹側切り欠き部２０ｃｆの一部（腹側端部）に弾性領域Ｒ１を形成し、当該領域に伸縮性を付与することで、腹側脚回りにおけるフィット性の悪化を抑制している。
【００５５】
図４Ａは、パンツ型状態のおむつ１を左右方向に伸長させた状態について、腹（前）側から見た概略平面図である。図４Ｂは、パンツ型状態のおむつ１の伸長状態を解除した自然状態について、腹（前）側から見た概略平面図である。なお、「自然状態」とは、おむつ１を所定時間放置した時の状態である。例えば、おむつ１の外装体２０を左右方向の両外側に引っ張り、外装体２０を「伸長した状態」として、この伸長状態を１５秒間継続させた後、おむつ１の引っ張りを解除して机等の平面に置く。そして、このような平面平置きで５分間経過させた状態を自然状態とする。
【００５６】
おむつ１を左右方向に伸長させた状態では、腹側切り欠き部２０ｃｆの形状が、図４Ａのように上下方向における股下側ほど左右方向における幅が狭くなるような緩やかに湾曲した曲線状であり、着用者の脚繰りに沿って脚回り開口ＬＨが形成されていることが分かる。そして、おむつ１の伸長状態が解除されて自然状態になると、腹側胴回り弾性部材３１及び腰回り弾性部材３４の収縮力に基づいて、おむつ１の腹側において外装体２０の一部の領域が左右方向に収縮する。具体的には、図４Ｂのように、外装体２０のうち左右方向においてサイドエッジ部２０ｅｓ，２０ｅｓに挟まれた領域が収縮すると共に、弾性領域Ｒ１が収縮する。一方、非弾性領域Ｒ２は左右方向にほとんど収縮しない。
【００５７】
したがって、弾性領域Ｒ１では、外装体２０が着用者の腰回りに沿って変形しつつ、腹側切り欠き部２０ｃｆが着用者の脚回りにフィットすることにより、脚回りにおけるフィット性を向上させることができる。
【００５８】
一方、上下方向において弾性領域Ｒ１の股下側に隣接する非弾性領域Ｒ２では、外装体２０及び吸収性本体１０に対して、脚回り弾性部材３３及び腰回り弾性部材３４による収縮力がいずれも作用し難く、股下部において吸収性本体１０が非肌側に出っ張るように変形してしまうことが抑制される。また、腹側切り欠き部２０ｃｆが図４Ｂのように左右方向の外側に襞状に広がったレッグギャザーを形成し、股下付近の領域において、柔軟なレッグギャザーによって着用者の脚回りが広く覆われるようになる。したがって、おむつ１の使用者（おむつ１の着用者、若しくはおむつ１を着用させる者）に対して、股下部において吸収性本体１０の出っ張りを抑制してすっきりとした印象を与えつつ、着用者の脚回りがレッグギャザーによってしっかりと覆われることによる安心感を与えることができる。
【００５９】
このように、本実実施形態のおむつ１では、弾性領域Ｒ１及び非弾性領域Ｒ２が設けられていることにより、着用者の脚回りにおけるフィット性を向上させつつ、股間部において吸収性本体１０が非肌側に出っ張ってしまうことを抑制することが可能となる。
【００６０】
また、図２に示されるように、おむつ１の長手方向（上下方向）において、非弾性領域Ｒ２の長さＬｒ２は、弾性領域Ｒ１の長さＬｒ１よりも長くなっている（Ｌｒ２＞Ｌｒ１）。したがって、おむつ１の着用時には、腹側切り欠き部２０ｃｆの非弾性領域Ｒ２に形成されるレッグギャザーによって、着用者の脚回りが覆われる面積を広くすることができる。股間部において脚回りが広く覆われることにより、使用者により大きな安心感を与え、尿漏れ等の心配を生じ難くさせることができる。
【００６１】
また、図４Ｂに示されるように、おむつ１の自然状態では、長手方向（上下方向）における弾性領域Ｒ１と非弾性領域Ｒ２との境界Ｂｒにて、外装体２０の幅方向（左右方向）の長さ（幅）Ｗ２０が最も短くなっている。すなわち、外装体２０は、弾性領域Ｒ１の長手方向における股下側の端の位置で、幅方向に最も大きく括れている。外装体２０の腹側切り欠き部２０ｃｆにこのような括れが形成されることにより、脚回り開口ＬＨの変曲点が多くなり、おむつ１を着用する際に、該脚回り開口ＬＨが着用者の身体（脚回り）の曲面にフィットしやすくなる。また、着用者の脚の動きに追従しておむつ１の外装体２０が変形しやすくなることから、着用性が向上する。
【００６２】
また、図２で、弾性領域Ｒ１の長手方向の腹側（上下方向の胴回り開口側）に隣接する領域のうち、長手方向における長さ（Ｌｒ３）が弾性領域の長手方向における長さＬｒ１と等しい領域を胴回り弾性領域Ｒ３とする。おむつ１では、弾性領域Ｒ１において長手方向の単位長さ当たりに作用する幅方向に沿った収縮力は、胴回り弾性領域Ｒ３において長手方向の単位長さ当たりに作用する幅方向に沿った収縮力よりも小さくなっている。この胴回り弾性領域Ｒ３は、胴回りの下側部において、幅方向両側のサイドエッジ部２０ｅｓ，２０ｅｓの間に挟まれた領域であり、おむつ１着用時には着用者の胴回り下部領域にフィットして、着用者の身体に対して外装体２０の位置がずれないように固定する機能を有する部分である。したがって、胴回り弾性領域Ｒ３では、幅方向に沿った収縮力を十分強く作用させることが望ましい。
【００６３】
一方、弾性領域Ｒ１は、上述のように、外装体２０の一部を着用者の脚回りにフィットさせる機能を有する部分であり、幅方向の収縮力が大きすぎると、脚回り開口ＬＨが着用者の脚繰りに沿って食い込む等により、着用者に不快感を与えるおそれがある。そこで、おむつ１では、弾性領域Ｒ１に作用する幅方向に沿った収縮力を、胴回り弾性領域Ｒ３に作用する幅方向に沿った収縮力よりも小さくすることにより、着用者の胴回りにおいて外装体２０の位置ずれを生じ難くしつつ、着用者の脚回りにおいて、適度なフィット性を実現できるようにしている。
【００６４】
なお、外装体２０の腹側に配置されている複数の腹側胴回り弾性部材３１，３１は、外装体２０の幅方向両側のサイドエッジ部２０ｅｓ，２０ｅｓの間の領域において、幅方向に沿って連続して設けられている。言い換えると、おむつ１の腹側において、腹側胴回り弾性部材３１は、外装体２０の幅方向の両端部間において、切断されること無く、幅方向の全域に収縮力を発現している。したがって、該腹側胴回り弾性部材３１が配置されている領域（胴回り弾性領域Ｒ３を含む）では、胴回りに沿って十分な収縮力が作用しており、おむつ１を着用した際に、着用者の胴回りにおける外装体２０の位置ずれを生じ難くすることができる。これにより、吸収性本体１０の位置ずれ等も生じ難くなり、排泄物の漏出やフィット性の悪化を抑制することができる。
【００６５】
また、おむつ１では、外装体２０の背側において、腹側の弾性領域Ｒ１に相当する弾性領域が設けられていない。言い換えると、外装体２０は、背側切り欠き部２０ｃｂにおいて、腰回り弾性部材３４に相当する弾性部材を有していない。おむつ１を着用する際に、外装体２０の背側の領域は、着用者の臀部を覆う部分であることから、なるべく広い面積を有していることが望ましい。仮に、背側において弾性領域Ｒ１に相当する弾性領域が設けられていた場合、当該弾性領域において外装体２０や吸収性本体１０が幅方向に収縮しやすくなり、着用者の臀部が外装体２０や吸収性本体１０からはみ出したり、脚回り開口ＬＨが着用者の臀部の膨らみに食い込んだりするおそれがある。これに対して、本実施形態のおむつ１では、背側において弾性領域が設けられていないことにより、外装体２０や吸収性本体１０が幅方向に収縮し難く、臀部を広く覆うことが可能となる。したがって、背側において着用者に不快感を生じさせ難く、フィット性を向上させることができる。
【００６６】
図５は、自然状態のおむつ１を左右方向の一方側（右側）から見た概略側面図である。本実施形態のおむつ１では、幅方向の両側に設けられたサイドエッジ部２０ｅｓ，２０ｅｓの間で、腹側胴回り弾性部材３１によって作用する長手方向の単位長さ当たりの収縮力が、背側胴回り弾性部材３２によって作用する長手方向の単位長さ当たりの収縮力よりも大きい。そのため、自然状態のおむつ１では、背側における外装体２０の左右方向の収縮量よりも、腹側における外装体２０の左右方向の収縮量の方が大きくなり、図５のように、おむつ１の胴回り領域（胴回り弾性部材３１，３２が設けられている領域）が、前後方向の前側に傾斜するような状態となる。すなわち、外装体２０の左右方向の両側設けられているサイドエッジ部２０ｅｓ，２０ｅｓが上下方向に対して斜め前方に傾斜した状態となる。
【００６７】
サイドエッジ部２０ｅｓ，２０ｅｓが斜め前方に傾くことにより、該サイドエッジ部２０eｓの上下方向の股下側に設けられている脚回り開口ＬＨも前後方向の前方寄りに偏移しやすくなる。すなわち脚回り開口ＬＨの前後方向における中心位置が、背側よりも腹側に寄った状態となる。これにより、おむつ１を着用した状態で、着用者が脚を前側（腹側）に動かした場合であっても、脚回り開口ＬＨが着用者の脚に干渉し難くなる。例えば、歩行の際に脚を前側に動かしたときでも、脚の動きが妨げられ難くなり、着用性が向上する。
【００６８】
また、図２に示されるように、おむつ１では、背側切り欠き部２０ｃｂに沿って設けられた脚回り弾性部３３の一部は、幅方向の中央部において、吸収性コア１１と重複している部分を有している。そして、吸収性コア１１と重複している部分における脚回り弾性部材３３の収縮力は、吸収性コア１１と重複していない部分における脚回り弾性部材３３の収縮力よりも弱くなっている。すなわち、吸収性コア１１に対して作用する脚回り弾性部材３３による収縮力は大きく無く、幅方向（及び長手方向）において吸収性コア１１が過度に収縮することが抑制される。したがって、吸収性コア１１によって尿等の排泄物を吸収することが可能な範囲が広く保たれ、おむつ１の吸収性能を良好なものとすることができる。
【００６９】
また、おむつ１の吸収性コア１１は、重量パーセント８０％以上のＳＡＰを有していることから、主にパルプ等によって形成された吸収性コアと比較して、厚みを薄くすることが可能であり、また、剛性を低くすることができる。したがって、本実施形態の吸収性コア１１は、身体の凹凸や曲面に沿って３次元的に変形しやすい。これにより、弾性領域Ｒ１、及び非弾性領域Ｒ２のいずれの領域でも、吸収性コア１１が着用者の身体にフィットしやすく、排泄物の漏れを抑制しやすくすることができる。
【００７０】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのは言うまでもない。例えば、以下に示すような変形が可能である。
【００７１】
おむつ１の着用対象者は、成人のみならず、乳幼児（生後０日〜満１歳未満の子）や幼児（満１歳〜小学校就学までの子）等の子供であっても良い。すなわち、おむつ１が子供用のおむつであっても良い。その場合、弾性領域Ｒ１及び非弾性領域Ｒ２の配置や大きさを調整することにより、脚回り開口ＬＨの締め付けの強さと吸収性本体１０のフィット性とのバランスを子供用に最適化し、例えば、肌の弱い乳幼児等でも着用可能な子供用おむつを提供することができる。
【符号の説明】
【００７２】
１  おむつ（パンツ型使い捨ておむつ、吸収性物品）、
１０  吸収性本体、
１１  吸収性コア、１２  コアラップシート、１３  トップシート、１４  バックシート、
２０  外装体、
２０ｃ  切り欠き部、
２０ｃｆ  腹側切り欠き部、２０ｃｆｐ  一部分、２０ｃｂ  背側切り欠き部、
２０ｅｓ  サイドエッジ部、
２１  肌側シート、２１ｈ  長円切り欠き部、
２２  非肌側シート、２２ｆｆ  折り返し部、２２ｂｆ  折り返し部、
３１  腹側胴回り弾性部材、３２  背側胴回り弾性部材、
３３  脚回り弾性部材、３４  腰回り弾性部材、３５  防漏壁弾性部材、
５０  防漏壁部、
ＢＨ  胴回り開口、ＬＨ  脚回り開口、
ＣＬ  中央位置、
Ｒ１  弾性領域、
Ｒ２  非弾性領域、
Ｒ３  胴回り弾性領域
【図１】
2020058768.tif 000003
【図２】
2020058768.tif 000004
【図３】
2020058768.tif 000005
【図４】
2020058768.tif 000006
【図５】
2020058768.tif 000007